(57)【特許請求の範囲】
【請求項１】
くさび状ミクロトームメス（５）のメスホルダ（１）またはブレードホルダ（以下「メスホルダ」の語で代表する）であって、ミクロトームメス（５）のセット角調節のためメスホルダ（１）をベース（４）に旋回自在に軸支し、ミクロトームメス（５）の受容のため、１つの締付ネジ（６）を有し前方へ開放した締付ジョー（２）をメスホルダ（１）に設け、ミクロトームメス（５）と締付ジョー（２）との間に押え部材（８）を設け、ミクロトームメス（５）の固定のため、押え部材（８）を締付ネジ（６）と力結合させた形式のものにおいて、メスホルダ（１）が、締付ネジ（６）を中央に設けた唯一つの締付ジョー（２）を有し、押え部材（８）が、ミクロトームメス（５）に面した側の範囲にＵ字形状切欠部（９）を有すると共に、該押え部材（８）が、並置されメスの刃に平行に調心された２つのノーズ（１６）を有し、該Ｕ字形状切欠部（９）が、該２つのノーズ（１６）の間にメスの刃（１２）に対して平行に延び、締付ネジ（６）の固定力が、押え部材（８）の中心に作用し、該２つのノーズ（１６）を介してミクロトームメス（５）に伝達されることを特徴とするメスホルダ。
【請求項２】
該締付ジョー（２）が、締付ネジ（６）の受容のため、連続のネジ山（１４）を有することを特徴とする請求項１に記載のメスホルダ。
【請求項３】
該押え部材（８）が、締付ジョー（２）に向く側の範囲に、凹み（１５）を有することを特徴とする請求項１または請求項２に記載のメスホルダ。
【請求項４】
該押え部材（８）が、押圧バネ（３）を介して締付ジョー（２）に結合されていることを特徴とする請求項３に記載のメスホルダ。
【請求項５】
該メスホルダ（１）には、磁石（１０）が、メスの刃（１２）と反対側の狭いメス背面（１１）と当接する状態で設けてあることを特徴とする請求項１〜４のいずれか１項に記載のメスホルダ。
【発明の詳細な説明】
【０００１】
【発明の属する技術分野】
本発明は、ミクロトームメスを受容するメスホルダに関する。特に本発明は請求項１の前置部に記載のくさび状ミクロトームメスを受容するメスホルダに関する。即ち、このメスホルダは、くさび状ミクロトームメス、特に、後研磨できる超硬合金製または鋼製メスのメスホルダまたはブレードホルダ（以下「メスホルダ」の語で代表する）であって、ミクロトームメスのセット角調節のためメスホルダをベースに旋回自在に軸支し、ミクロトームメスの受容のため、１つの締付ネジを有し前方へ開放した締付ジョーをメスホルダに設け、ミクロトームメスと締付ジョーとの間に押え部材を設け、ミクロトームメスの固定のため、押え部材を締付ネジと力結合させた形式のものに関する。
【０００２】
【従来の技術】
超硬合金または鋼からなるくさび状カッタメスは、より長い期間にわたって使用され、単なる”使捨てブレード”とは異なり後研磨できる。この種のくさび状カッタメスは、そのジオメトリ（立体形状）にもとづき極めて安定であるので、構造簡単なメスホルダに使用できる。これに関して、左右に対となった締付ジョーを有するメスホルダは公知である。
【０００３】
締付ジョーにおけるメスの固定は、それぞれメス背面に作用する２つのネジを介して行う。
【０００４】
ブレード状カッタメス（使捨てブレード）を受容するため、上記ブレードを内部に固定するくさび状ホルダが知られている。上記ブレードホルダは、用例に応じて、くさび状カッタメスの代わりにも使用でき、この場合も、２つの締付ジョーにホルダを固定する。
【０００５】
メスホルダは、カットすべき対象にカッタメスを調心（位置調整）するため、ベースに旋回自在に軸支（受承）されている。この種のメスホルダは、例えば、ドイツ特許第２１４３５２９号に図示、説明されている。
【０００６】
上記の公知のメスホルダの場合、２つの締付ジョーが、安定上の理由から、上方へ閉鎖して構成してあり、従って、対応するガイド部にカッタメスを導入する作業が煩瑣であるという欠点がある。
【０００７】
ドイツ特許第３４１３２５１号には、２つの閉じた支え以外に連続の対向支持装置を有する多部分からなるメスホルダが記載されている。カッタメスは、１つのメス背面で、上記対向支持装置に支持される。カッタメスの固定は、偏心器を介して作動され別のメス背面に作用する連続の締付ジョーを介して行う。
【０００８】
このメスホルダによって、メスの刃の範囲に高い安定性が達成される。この場合、しかしながら、カットされた試料が、締付ジョー上を摺動し、かくして、取外すのが困難であるという問題がある。
【０００９】
ドイツ特許第１９５０６８３７号には、くさび状ミクロトームメスを受容するメスホルダであって、上方へ開放しカッタメスを受容する２つの締付ジョーを有する形式のものが記載されている。メス受けにカッタメスを固定するため、各締付ジョーには、連続の締付板に固定された締付ネジが設けてある。双方の締付ネジをねじ込むと、締付板がメス背面に押圧されメスホルダにカッタメスを固定する。
【００１０】
この種のメスホルダは、有効であることが実証されており、刃の範囲の高い機械的安定性を特徴とする。このメスホルダの場合、カットした試料をメス背面から簡単に取外すことができる。
【００１１】
【発明が解決しようとする課題】
試料のカット時、メスの刃の小部分だけが使用されるのに過ぎないので、上記部分が摩耗した場合、メスホルダ内でカッタメスを移動する。このためには、２つの締付ネジを外し、カッタメスを所定量だけ移動する必要である。この場合、対象に対するカッタメスの角度位置もメスの刃から対象までの距離も変化しないよう処置しなければならない。上記メスホルダの場合、設定したメス位置を保持してメスホルダ内でカッタメスを移動できる。しかしながら、実際から、２つの締付ネジの操作にもとづきカッタメスの移動が困難であることが判明した。
【００１２】
従って、本発明の課題は、高い機械的安定性を維持して、メスの交換時または位置決め（セット）時のメスホルダの操作が簡単化されるよう、ドイツ特許第１９５０６８３７号に記載のメスホルダを改良することにある。
【００１３】
【課題を解決するための手段】
なお、各請求項に付記した図面参照符号は、本発明を図示の態様に限定することを意図しない。
【００１４】
この課題は、本発明にもとづき、請求項１の特徴記載部分に開示の特徴によって解決される。即ち、本発明のメスホルダにおいて、メスホルダが、締付ネジを中央に設けた唯一つの締付ジョーを有し、押え部材が、ミクロトームメスに面した側の範囲にＵ字形状切欠部を有すると共に、該押え部材が、並置されメスの刃に平行に調心された２つのノーズを有し、該Ｕ字形状切欠部が、該２つのノーズの間にメスの刃に対して平行に延び、締付ネジの固定力が、押え部材の中心に作用し、該２つのノーズを介してミクロトームメスに伝達されることを特徴とする。
【００１５】
なお、本発明のさらなる有利な展開形態は、従属請求項の対象として記載した。
【００１６】
本発明によって、くさび状カッタメスまたはくさび状ブレードのホルダ（「メスホルダ」）のための唯一つの開放した締付ジョーを有する構造簡単なメスホルダを高い安定度で使用できる。
【００１７】
この種のメスホルダをスライド式ミクロトームに使用すれば有利であることが判明している。なぜならば、カッタメスの有効な刃範囲に自由に到達でき、従って、切断操作時に何らの問題も生じないからである。固定を手操作の唯一つの要素（唯１つの締付ネジ）で行うことによって、メスを迅速且つ正確に交換できまたはメスホルダ内で移動させることができる。この場合、Ｕ字構造の押え部材によって、固定力がメス背面の２つの点に伝達され、かくして、カッタメスの確実な固定が行われる。
【００１８】
【発明の実施の形態】
締付ジョーは、締付ネジの受容のため、連続のネジ山を有することが好ましい。押え部材は、締付ジョーに向く側の範囲に、凹みを有することが好ましい。押え部材（８）は、押圧バネの押圧力ないし圧縮力を介して締付ジョーに結合されていることが好ましい。
【００１９】
メス受け部に磁石を設ければ、カッタメスは、締付ネジを外した場合に、不測にずれないよう固定され、所定位置に保持される。メスホルダに対し、磁石は、メスの刃と反対側の狭いメス背面と当接する状態で設けられることが好ましい。
【００２０】
【実施例】
以下、実施例を略図を参照して詳細に説明する。
【００２１】
図１に、締付ジョー２と締付けられたくさび状メス５とを含むメスホルダ１を示した。メスホルダ１は、メスのセット角を調節するためまたは対象に対して調心するためベース４に旋回自在に軸支（受承）してあり、この場合、ロック機構（図示してない）が、調節された当該セット角（特に逃げ角）を固定する。
【００２２】
操作ヘッド１３を有する締付ネジ６は、ネジ山１４によって締付ジョー２を介して案内され、操作ヘッド１３とは反対側のネジ端で押え部材８を押圧する。押え部材８は、Ｕ字形状に形成され、２つのノーズ１６をその左右端部に有する。カッタメス５は、並置された双方のノーズ１６とメス受け部７との間において、締付ジョー２に固定され、この場合、メスの刃１２に対向するメス背面１１は、磁石１０に当接する。メスホルダ１内でカッタメス５を位置方向決め（セット）する際、磁石１０によってカッタメスの所定位置が達成される。
【００２３】
押え部材８は、固定ネジ１７によって締付ジョー２に固定された押圧バネ３と力結合されている。押圧バネ３は、ミクロトームメス５の交換時、押え部材８を定位置に保持する。
【００２４】
図２に、図１の線Ａ−Ａに沿うカッタメス１の断面図を示した。押え部材８は、締付ジョー２が係合する凹み１５を有する。この構成によって、締付ネジ６のねじ込み時に締付ジョー２に対する押え部材８の側方へのズレが阻止される。締付ネジ８は、その自由端で押え部材８を押圧する。この圧力は、Ｕ字形状切欠部９または平行に並置された一対のノーズ１６を介してカッタメス５の背面に伝達される。この場合、他のメス背面は、メス受け部（ないしメス受け面）７に支持される。
【００２５】
本発明の対象の場合、メスホルダ１にカッタメス５を固定する際、唯一つの締付ネジ６を作動するだけでよい。２つの締付ネジを有するカッタメスの場合は、スペース上の理由から、操作ヘッドを小さく選択（設計）しなければならず、従って、操作者にとってトルク印加操作がやり難くなる。本発明の対象の場合、更に、唯一つの締付ネジの利点以外に、人間工学的改善が達成される。
【００２６】
かくして得られるメスホルダ１の構成にもとづき、カッタメス１内にカッタメス５の大きい移動範囲が得られ、従って、メスの刃１２の最適な利用が可能となる。この種のメスホルダは、構造寸法が小さいので、スライド式ミクロトームに有利に使用できる。この場合、メスのまさに有効な刃範囲は、メスホルダ外にあるので、メスホルダを簡単に且つ邪魔されずにスライドさせることが可能である。
【００２７】
実施例で説明したカッタメスを薄いブレードのそれ自体は公知のくさび状ブレードホルダと交換することは、本発明の枠内にある。
【００２８】
【発明の効果】
本発明により、高い機械的安定性を維持して、メスの交換時またはその位置方向決め時、即ち、セット時のメスホルダの操作が、極めて簡単化される。即ち、１つの締付ネジの操作のみにより、迅速且つ正確にメスの交換ができかつ、メスのメスホルダでの移動（スライド）ができる（請求項１）。
【００２９】
本発明の各従属請求項の構成により、さらに夫々付加的な利点が得られる。
【図面の簡単な説明】
【図１】図１は、締付ジョーを組込んだメスホルダの断面図である。
【図２】図２は、図１の線Ａ−Ａに沿う断面図である。
【符号の説明】
１ メスホルダ
２ 締付ジョー
３ 押圧バネ
４ ベース
５ くさび状メス
６ 締付ネジ
７ ２のメス受け
８ 押え部材
９ ８のＵ字形状切欠部
１０ 磁石
１１ 狭いメス背面
１２ メスの刃
１３ ６の操作ヘッド
１４ ６のネジ山
１５ ８の凹み
１６ ８のノーズ
１７ ２に３を固定する固定ネジ
【図１】
0003957831.tif 000002
【図２】
0003957831.tif 000003